(57)【要約】【課題】プラント内に設置されたそれぞれの設備の位置関係を正確に反映した地図を提示すると共に、プラント内での作業を支援することができる作業支援端末装置、作業支援方法、プログラム、および記録媒体を提供する。【解決手段】プラントの設備に対して行われる作業を支援する作業支援端末装置であって、予め設定された時間間隔で第１の位置情報および作業の結果が得られた位置の第２の位置情報を取得する位置情報取得部と、設備に対して行われた作業の結果を、位置情報取得部で取得される第２の位置情報に対応付けた作業情報を生成する作業内容処理部と、位置情報取得部で取得された第１の位置情報を第１の記号で示し、作業情報で対応付けられている第２の位置情報を第１の記号とは異なる第２の記号で示した地図を作成して表示する地図作成部と、を備える。【選択図】図１
2016103164.tif 000002
【特許請求の範囲】
【請求項１】
プラントの設備に対して行われる作業を支援する作業支援端末装置であって、
予め設定された時間間隔で第１の位置情報および前記作業の結果が得られた位置の第２の位置情報を取得する位置情報取得部と、
前記設備に対して行われた作業の結果を、前記位置情報取得部で取得される前記第２の位置情報に対応付けた作業情報を生成する作業内容処理部と、
前記位置情報取得部で取得された前記第１の位置情報を第１の記号で示し、前記作業情報で対応付けられている前記第２の位置情報を前記第１の記号とは異なる第２の記号で示した地図を作成して表示する地図作成部と、
を備えることを特徴とする作業支援端末装置。
【請求項２】
前記地図作成部は、
入力された、前記設備同士の接続に関する情報がそれぞれの前記設備ごとにまとめられた設備関連リストに基づいて、作成した前記地図に示された前記第２の記号同士の接続を視覚的に表した装飾を施す、
ことを特徴とする請求項１に記載の作業支援端末装置。
【請求項３】
前記地図作成部は、
入力された操作に応じて、作成した前記地図に示された前記プラント内の状況を視覚的に表す装飾を施す、
ことを特徴とする請求項１または請求項２に記載の作業支援端末装置。
【請求項４】
前記地図作成部は、
入力された操作によって指定された前記地図内の位置に、入力された情報の内容を視覚的に表す装飾を施す、
ことを特徴とする請求項１から請求項３のいずれか１の項に記載の作業支援端末装置。
【請求項５】
前記地図作成部は、
入力された操作に応じて、作成した前記地図に示された前記第２の記号を移動する際に、該第２の記号に対応する前記第２の位置情報は変更せず、該第２の記号を示す際の該地図上の座標の情報のみを変更する、
ことを特徴とする請求項１から請求項４のいずれか１の項に記載の作業支援端末装置。
【請求項６】
前記作業内容処理部は、
入力された操作に応じて、前記設備に対して行う予め記憶された作業の内容を表示させ、該作業の内容と、前記作業の結果と、前記第２の位置情報とを対応付けた前記作業情報を生成する、
ことを特徴とする請求項１から請求項５のいずれか１の項に記載の作業支援端末装置。
【請求項７】
前記作業内容処理部は、
前記作業の結果を、前記作業情報にすでに含まれている作業の結果に追加した作業情報を生成する、
ことを特徴とする請求項６に記載の作業支援端末装置。
【請求項８】
プラントの設備に対して行われる作業を支援する作業支援端末装置における作業支援方法であって、
予め設定された時間間隔で第１の位置情報および前記作業の結果が得られた位置の第２の位置情報を取得する位置情報取得ステップと、
前記設備に対して行われた作業の結果を、前記位置情報取得ステップで取得される前記第２の位置情報に対応付けた作業情報を生成する作業内容処理ステップと、
前記位置情報取得ステップで取得された前記第１の位置情報を第１の記号で示し、前記作業情報で対応付けられている前記第２の位置情報を前記第１の記号とは異なる第２の記号で示した地図を作成して表示する地図作成ステップと、
を含むことを特徴とする作業支援方法。
【請求項９】
プラントの設備に対して行われる作業を支援する作業支援端末装置における作業支援方法をコンピュータに実行させるプログラムであって、
予め設定された時間間隔で第１の位置情報および前記作業の結果が得られた位置の第２の位置情報を取得する位置情報取得ステップと、
前記設備に対して行われた作業の結果を、前記位置情報取得ステップで取得される前記第２の位置情報に対応付けた作業情報を生成する作業内容処理ステップと、
前記位置情報取得ステップで取得された前記第１の位置情報を第１の記号で示し、前記作業情報で対応付けられている前記第２の位置情報を前記第１の記号とは異なる第２の記号で示した地図を作成して表示する地図作成ステップと、
をコンピュータに実行させることを特徴とするプログラム。
【請求項１０】
プラントの設備に対して行われる作業を支援する作業支援端末装置における作業支援方法をコンピュータに実行させるためのプログラムを記録したコンピュータ読み取り可能な記録媒体であって、
予め設定された時間間隔で第１の位置情報および前記作業の結果が得られた位置の第２の位置情報を取得する位置情報取得ステップと、
前記設備に対して行われた作業の結果を、前記位置情報取得ステップで取得される前記第２の位置情報に対応付けた作業情報を生成する作業内容処理ステップと、
前記位置情報取得ステップで取得された前記第１の位置情報を第１の記号で示し、前記作業情報で対応付けられている前記第２の位置情報を前記第１の記号とは異なる第２の記号で示した地図を作成して表示する地図作成ステップと、
をコンピュータに実行させるためのプログラムを記録したコンピュータ読み取り可能な記録媒体。
【発明の詳細な説明】
【技術分野】
【０００１】
本発明は、プラント内での作業を支援するための作業支援端末装置、作業支援方法、プログラム、および記録媒体に関する。
【背景技術】
【０００２】
様々な設備を持つプラントでは、プラント内の特定の場所に設置されているそれぞれの設備に対して、日常的な点検作業、故障や不具合などのトラブルに対応する作業が行われている。このような作業を行う作業員は、例えば、他の作業員から場所を教わる、地図を見る、多くの作業を経験している作業員に同行するなどの方法によって作業現場となる設備に出向く。しかしながら、作業現場に出向くそれぞれの方法には、その方法によって様々な問題が考えられる。
【０００３】
例えば、多くの経験をしている作業員に同行して作業現場に出向く場合には、案内をする経験のある作業員の時間を拘束してしまうという問題が考えられる。また、例えば、他の作業員から場所を教わったり、地図を頼りしたりして作業員が自ら作業現場に出向く場合には、途中で現在の位置や作業現場の場所がわからなくなってしまうと、間違った設備に向かってしまったり、作業現場の設備への到着が遅くなってしまったりするという問題が考えられる。さらに、地図を頼りにして作業現場に出向く場合には、事前に正しい地図を作成しておかなくてはならないという問題もある。
【０００４】
一方、作業員が作業現場に到着して設備のトラブル対応の作業を行う場合、その設備に関わる他の設備の調査を行うために設備のリストを確認する作業が必要になり、トラブルの原因の調査を開始してから設備が復旧するまでに時間を要してしまうこともある。また、トラブルの根本的な原因がわからない場合もある。
【０００５】
そこで、例えば、特許文献１のような設備管理装置の技術が提案されている。特許文献１に開示された技術では、設備の見取り図を表示することによって、それぞれの設備の位置関係や接続関係を視覚的に作業員に提示することができる。また、特許文献１に開示された技術では、それぞれの設備ごとの詳細な情報を作業員に提示することができる。
【先行技術文献】
【特許文献】
【０００６】
【特許文献１】特開平１１−０３９０３０号公報
【発明の概要】
【発明が解決しようとする課題】
【０００７】
しかしながら、特許文献１に開示された技術では、事前に見取図（配管図）を作成し、この見取図上にそれぞれの設備を重畳させて表示することによって作業員に提示している。このとき、見取図上に重畳して表示されたそれぞれの設備が実際に設置されている位置、すなわち、それぞれの設備同士の距離（間隔）に関する情報は反映されていない。このため、特許文献１に開示された技術では、実際に作業を行う対象の設備を間違ってしまう可能性があるという問題がある。また、事前に行う見取図の作成作業は非常に煩雑なものであるため、作成した見取図に間違えがあることも考えられる。
【０００８】
本発明は、上記の課題に基づいてなされたものであり、プラント内に設置されたそれぞれの設備の位置関係を正確に反映した地図を提示すると共に、プラント内での作業を支援することができる作業支援端末装置、作業支援方法、プログラム、および記録媒体を提供することを目的としている。
【課題を解決するための手段】
【０００９】
上記の課題を解決するため、本発明の作業支援端末装置は、プラントの設備に対して行われる作業を支援する作業支援端末装置であって、予め設定された時間間隔で第１の位置情報および前記作業の結果が得られた位置の第２の位置情報を取得する位置情報取得部と、前記設備に対して行われた作業の結果を、前記位置情報取得部で取得される前記第２の位置情報に対応付けた作業情報を生成する作業内容処理部と、前記位置情報取得部で取得された前記第１の位置情報を第１の記号で示し、前記作業情報で対応付けられている前記第２の位置情報を前記第１の記号とは異なる第２の記号で示した地図を作成して表示する地図作成部と、を備えることを特徴とする。
【００１０】
また、本発明の作業支援端末装置における前記地図作成部は、入力された、前記設備同士の接続に関する情報がそれぞれの前記設備ごとにまとめられた設備関連リストに基づいて、作成した前記地図に示された前記第２の記号同士の接続を視覚的に表した装飾を施す、ことを特徴とする。
【００１１】
また、本発明の作業支援端末装置における前記地図作成部は、入力された操作に応じて、作成した前記地図に示された前記プラント内の状況を視覚的に表す装飾を施す、ことを特徴とする。
【００１２】
また、本発明の作業支援端末装置における前記地図作成部は、入力された操作によって指定された前記地図内の位置に、入力された情報の内容を視覚的に表す装飾を施す、ことを特徴とする。
【００１３】
また、本発明の作業支援端末装置における前記地図作成部は、入力された操作に応じて、作成した前記地図に示された前記第２の記号を移動する際に、該第２の記号に対応する前記第２の位置情報は変更せず、該第２の記号を示す際の該地図上の座標の情報のみを変更する、ことを特徴とする。
【００１４】
また、本発明の作業支援端末装置における前記作業内容処理部は、入力された操作に応じて、前記設備に対して行う予め記憶された作業の内容を表示させ、該作業の内容と、前記作業の結果と、前記第２の位置情報とを対応付けた前記作業情報を生成する、ことを特徴とする。
【００１５】
また、本発明の作業支援端末装置における前記作業内容処理部は、前記作業の結果を、前記作業情報にすでに含まれている作業の結果に追加した作業情報を生成する、ことを特徴とする。
【００１６】
また、本発明の作業支援方法は、プラントの設備に対して行われる作業を支援する作業支援端末装置における作業支援方法であって、予め設定された時間間隔で第１の位置情報および前記作業の結果が得られた位置の第２の位置情報を取得する位置情報取得ステップと、前記設備に対して行われた作業の結果を、前記位置情報取得ステップで取得される前記第２の位置情報に対応付けた作業情報を生成する作業内容処理ステップと、前記位置情報取得ステップで取得された前記第１の位置情報を第１の記号で示し、前記作業情報で対応付けられている前記第２の位置情報を前記第１の記号とは異なる第２の記号で示した地図を作成して表示する地図作成ステップと、を含むことを特徴とする。
【００１７】
また、本発明のプログラムは、プラントの設備に対して行われる作業を支援する作業支援端末装置における作業支援方法をコンピュータに実行させるプログラムであって、予め設定された時間間隔で第１の位置情報および前記作業の結果が得られた位置の第２の位置情報を取得する位置情報取得ステップと、前記設備に対して行われた作業の結果を、前記位置情報取得ステップで取得される前記第２の位置情報に対応付けた作業情報を生成する作業内容処理ステップと、前記位置情報取得ステップで取得された前記第１の位置情報を第１の記号で示し、前記作業情報で対応付けられている前記第２の位置情報を前記第１の記号とは異なる第２の記号で示した地図を作成して表示する地図作成ステップと、をコンピュータに実行させることを特徴とする。
【００１８】
また、本発明の記録媒体は、プラントの設備に対して行われる作業を支援する作業支援端末装置における作業支援方法をコンピュータに実行させるためのプログラムを記録したコンピュータ読み取り可能な記録媒体であって、予め設定された時間間隔で第１の位置情報および前記作業の結果が得られた位置の第２の位置情報を取得する位置情報取得ステップと、前記設備に対して行われた作業の結果を、前記位置情報取得ステップで取得される前記第２の位置情報に対応付けた作業情報を生成する作業内容処理ステップと、前記位置情報取得ステップで取得された前記第１の位置情報を第１の記号で示し、前記作業情報で対応付けられている前記第２の位置情報を前記第１の記号とは異なる第２の記号で示した地図を作成して表示する地図作成ステップと、をコンピュータに実行させるためのプログラムを記録したコンピュータ読み取り可能な記録媒体である。
【発明の効果】
【００１９】
本発明によれば、プラント内に設置されたそれぞれの設備の位置関係を正確に反映した地図を提示すると共に、プラント内での作業を支援することができるという効果が得られる。
【図面の簡単な説明】
【００２０】
【図１】本発明の実施形態における作業支援端末装置の概略構成を示したブロック図である。
【図２】本実施形態の作業支援端末装置において地図を作成するプラントの状況および作成した地図の一例を示した図である。
【図３】本実施形態の作業支援端末装置において作成された地図を表示する一例を示した図である。
【図４】本実施形態の作業支援端末装置において作成された地図を装飾する一例を示した図である。
【図５】本実施形態の作業支援端末装置において作成された地図を装飾する別の一例を示した図である。
【図６】本実施形態の作業支援端末装置において作成された地図を装飾するさらに別の一例を示した図である。
【図７】本実施形態の作業支援端末装置において作成された地図上に作業を支援するための情報を表示する一例を示した図である。
【図８】本実施形態の作業支援端末装置において作成された地図上に検索結果を表示する一例を示した図である。
【図９】本実施形態の作業支援端末装置において作業情報を表示する一例を示した図である。
【図１０】本実施形態の作業支援端末装置において作成された地図に装飾を施した一例を示した図である。
【発明を実施するための形態】
【００２１】
以下、本発明の実施形態について、図面を参照して説明する。図１は、本実施形態における作業支援端末装置の概略構成を示したブロック図である。作業支援端末装置１は、位置情報取得部１０と、データ処理部２０と、表示部３０と、ユーザーインターフェース部４０と、データ取得部５０と、データ記憶部６０とを備えている。
【００２２】
作業支援端末装置１は、プラント内に設置された設備において点検作業やトラブル対応の作業を行う、作業支援端末装置１の使用者である作業員が携帯する携帯端末装置である。なお、プラントとしては、化学などの工業プラントの他、ガス田や油田などの井戸元やその周辺を管理制御するプラント、水力・火力・原子力などの発電を管理制御するプラント、太陽光や風力などの環境発電を管理制御するプラント、上下水やダムなどを管理制御するプラントなどがある。
【００２３】
作業支援端末装置１は、作業支援端末装置１を携帯している作業員の現在位置の情報を取得することによって地図を作成する。また、作業支援端末装置１は、作成した地図に示されている設備における作業の内容を作業員に提示する。作業支援端末装置１のそれぞれの構成要素は、例えば、作業員が使用するパーソナルコンピュータや、携帯情報端末（ＰＤＡ：Ｐｅｒｓｏｎａｌ  Ｄｉｇｉｔａｌ  Ａｓｓｉｓｔａｎｔ）の機能を備えた、いわゆる、タブレット端末などの電子機器内に構成される。
【００２４】
位置情報取得部１０は、データ処理部２０からの要求に応じて、例えば、ＧＰＳ（Ｇｌｏｂａｌ  Ｐｏｓｉｔｉｏｎｉｎｇ  Ｓｙｓｔｅｍ）衛星からのＧＰＳ信号を受信し、作業支援端末装置１の位置を表す情報（以下、「位置情報」という）を取得する。位置情報取得部１０は、取得した位置情報を、データ処理部２０に出力すると共に、データ記憶部６０に記憶させる。
【００２５】
データ処理部２０は、作業支援端末装置１に備えたそれぞれの構成要素を制御することによって、作業支援端末装置１の全体を制御する。また、データ処理部２０は、地図の作成や作業内容の提示など、作業支援端末装置１における機能を実現するための処理を行う。より具体的には、データ処理部２０は、位置情報取得部１０が取得した位置情報に基づいて、作業支援端末装置１を利用しているプラント内の地図を作成する。また、データ処理部２０は、プラント内に設置されたそれぞれの設備に対する作業の内容やその結果を、位置情報取得部１０が取得した位置情報と関連付けて処理する。そして、データ処理部２０は、処理した作業支援端末装置１の機能に応じた表示画面を生成し、生成した表示画面を表示部３０に出力して表示させる。データ処理部２０は、タイマー部２０１と、地図作成部２０２と、作業内容処理部２０３とを備えている。
【００２６】
タイマー部２０１は、設定された時間の間隔ごとに、位置情報取得部１０に位置情報の取得を要求する。タイマー部２０１への時間の間隔の設定は、ユーザーインターフェース部４０によって行われる。
【００２７】
地図作成部２０２は、位置情報取得部１０が取得した位置情報に基づいて、作業員が作業支援端末装置１を携帯して移動した経路を表す地図を作成する。そして、地図作成部２０２は、作成した地図のデータをデータ記憶部６０に記憶させる。また、地図作成部２０２は、作成した地図を表示部３０に表示するための表示画面を生成して表示部３０に出力する。なお、地図作成部２０２による地図の作成方法に関する詳細な説明は、後述する。
【００２８】
作業内容処理部２０３は、地図作成部２０２が作成した地図上に存在する設備において、作業員が行う作業の内容を表示部３０に表示するための表示画面を生成して表示部３０に出力する。また、作業内容処理部２０３は、表示部３０に表示させた作業の内容、および設備において作業員が行った作業の結果と、位置情報取得部１０が取得した位置情報とを対応付けた情報（以下、「作業情報」という）を、データ記憶部６０に記憶する。これにより、データ記憶部６０には、設備の位置情報と、この設備に対する作業の内容および結果とをまとめた作業情報が記憶される。なお、作業の内容は、予めテンプレートとしてデータ記憶部６０に記憶させておいてもよいし、作業員が作業を行いながら作成してもよい。また、作業内容処理部２０３は、作業員が同じ設備に対して作業を行う際に、作業情報に含まれる作業の内容を表示する表示画面を生成して表示部３０に出力する。このとき、作業内容処理部２０３は、作業情報に含まれる作業の結果の情報を、過去の作業結果として参照させる表示画面を生成して表示部３０に出力してもよい。
【００２９】
表示部３０は、例えば、液晶ディスプレイ（ＬＣＤ：Ｌｉｑｕｉｄ  Ｃｒｙｓｔａｌ  Ｄｉｓｐｌａｙ）などの表示デバイスであり、データ処理部２０から出力された表示画面に応じた画像を表示することによって作業員に情報を提示する。
【００３０】
ユーザーインターフェース部４０は、作業員による作業支援端末装置１への操作を受け付ける、例えば、ボタンやスイッチ類などのユーザーインターフェースである。ユーザーインターフェース部４０は、受け付けた作業員の操作に応じた情報を、データ処理部２０に出力する。なお、ユーザーインターフェース部４０は、ボタンやスイッチ類による構成に限定されるものではなく、例えば、表示部３０内に備えられる押圧センサによって構成されてもよい。つまり、ユーザーインターフェース部４０は表示部３０と組み合わされたタッチパネルとして構成されてもよい。この場合、ユーザーインターフェース部４０は、作業員による各種のタッチ（タップやフリックなど）操作を検出し、検出した操作を作業員による作業支援端末装置１への操作として受け付ける。
【００３１】
データ取得部５０は、作業支援端末装置１を利用するプラント内の様々な設備から、作業支援端末装置１における処理で使用する種々のデータを取得する。データ取得部５０は、通信部５０１を備えている。
【００３２】
通信部５０１は、作業支援端末装置１を利用するプラント内の様々な設備との間での通信を行う。例えば、通信部５０１は、プラント内に設置された設備同士の接続に関する情報がそれぞれの設備ごとにまとめられた設備関連リストが記憶されたサーバ装置との通信を行う。また、通信部５０１は、設備の状態を計測するためにそれぞれの設備に設置された計測器や設備を動作させるアクチュエータなどとの通信を行う。また、通信部５０１は、複数の作業支援端末装置１がプラント内で利用されている場合に、他の作業支援端末装置１との間での通信を行う。なお、通信部５０１と、サーバ装置、計測器、または他の作業支援端末装置１との通信方法に関しては、有線、無線を問わず、特に規定しない。
【００３３】
データ取得部５０は、通信部５０１がそれぞれの設備との間で通信を行って取得した、例えば、設備関連リスト、計測器の計測結果、他の作業支援端末装置１と共有するデータなどのデータをデータ記憶部６０に記憶させる。
【００３４】
データ記憶部６０は、作業支援端末装置１における種々の処理において使用するデータを記憶する記憶部である。例えば、データ記憶部６０は、位置情報取得部１０が取得した位置情報、データ処理部２０が作成した地図や作業情報のデータを記憶する。また、データ記憶部６０は、データ取得部５０が通信部５０１による通信によって取得した設備関連リスト、計測器の計測結果、他の作業支援端末装置１と共有するデータを記憶する。
【００３５】
このような構成によって、作業支援端末装置１は、プラント内の地図の作成、設備での作業内容の提示や作業結果の記憶などの作業支援を行う。
【００３６】
次に、本実施形態の作業支援端末装置１の動作について説明する。図２は、本実施形態の作業支援端末装置１において地図を作成するプラントの状況および作成した地図の一例を示した図である。図２（ａ）には、地図を作成するプラントにおける設備の配置の一例を示し、図２（ｂ）には、作業支援端末装置１に備えた地図作成部２０２によって作成した地図の一例を示している。なお、以下の説明においては、作業支援端末装置１が、表示部３０とユーザーインターフェース部４０とが組み合わされたタッチパネルを備えた構成、例えば、比較的大きなタッチパネルを備えたタブレット端末であるものとして説明する。
【００３７】
プラントには、作業を行う対象の設備が特定の場所に設置されている。図２（ａ）には、プラント内の道路に面して設備Ｅ１〜Ｅ４が設置され、作業員Ｗが作業支援端末装置１を携帯して移動している様子を示している。ここで、多くの作業を経験している（熟練した）作業員Ｗが作業支援端末装置１を使用してプラント内のそれぞれの設備に対する作業を行う手順に従って、作業支援端末装置１がプラント内の地図を作成する動作を説明する。なお、以下の説明においては、それぞれの設備において行う作業の内容が、作業支援端末装置１に備えたデータ記憶部６０にすでに記憶されているものとして説明を行う。
【００３８】
（手順Ｍ１）：作業員Ｗは、作業支援端末装置１を起動し、ユーザーインターフェース部４０を操作して、位置情報取得部１０によって位置情報を取得する時間の間隔（例えば、数秒、または数十秒）を設定する。この操作を受け付けたユーザーインターフェース部４０は、設定された時間間隔の情報を、データ処理部２０に出力する。そして、データ処理部２０は、ユーザーインターフェース部４０から入力された時間間隔の情報をタイマー部２０１に設定し、位置情報取得部１０による位置情報の取得を開始する。また、地図作成部２０２は、地図の作成を開始する。なお、データ処理部２０は、作業支援端末装置１が起動した後、所定時間を経過しても作業員Ｗによる位置情報を取得する時間間隔の設定がなされなかった場合、つまり、ユーザーインターフェース部４０から時間間隔の情報が出力されなかった場合、初期値の時間間隔（例えば、３０秒）をタイマー部２０１に設定して、位置情報取得部１０による位置情報の取得を開始する。
【００３９】
（手順Ｍ２）：作業員Ｗは、時間間隔を設定した作業支援端末装置１を携帯して、それぞれの設備に出向く。このとき、タイマー部２０１は、設定された時間間隔で位置情報の取得を位置情報取得部１０に要求する。そして、位置情報取得部１０は、タイマー部２０１からの要求に応じて取得した位置情報（第１の位置情報）を逐次、データ記憶部６０に記憶させる。また、地図作成部２０２は、位置情報取得部１０が逐次取得した位置情報に基づいて、作業支援端末装置１を携帯して作業員Ｗが移動した経路を表す記号（第１の記号）を示した地図のデータを作成する。図２（ｂ）においては、作業員Ｗが移動した経路のそれぞれの位置に、四角の記号で表した通過ポイントＰを示した地図の一例を示している。なお、通過ポイントＰの記号は、上述した四角の記号に限定されるものではなく、記号の形状や色を変えることによって、通過ポイントＰとするプラント内の道路の種類（例えば、地上、地下など）を示してもよい。
【００４０】
（手順Ｍ３）：作業員Ｗは、作業現場（例えば、設備Ｅ１）に到着すると、ユーザーインターフェース部４０を操作して、作業内容の提示を作業支援端末装置１に指示する。この操作を受け付けたユーザーインターフェース部４０は、作業内容の提示が指示されたことを表す情報を、作業内容処理部２０３に出力する。これにより、作業内容処理部２０３は、現在位置の位置情報の取得を位置情報取得部１０に要求する。そして、位置情報取得部１０は、作業内容処理部２０３からの要求に応じて取得した位置情報を、データ処理部２０、すなわち、作業内容処理部２０３に出力する。その後、作業内容処理部２０３は、位置情報取得部１０から取得した位置情報に示された位置に設置された設備に対する作業の内容が含まれた作業情報をデータ記憶部６０から読み出し、読み出した作業情報（作業内容）を作業員Ｗに提示するための表示画面を生成して表示部３０に出力する。これにより、表示部３０は、ユーザーインターフェース部４０の操作によって要求された、現在位置に設置された設備に対する作業内容を表示（提示）する。
【００４１】
なお、それぞれの設備を識別するための手段として、例えば、タグなどの識別情報がそれぞれの設備に割り当てられており、通信部５０１が設備に割り当てられたタグの情報を取得することができる場合も考えられる。この場合、作業内容処理部２０３は、現在位置の位置情報の取得を位置情報取得部１０に要求せず、通信部５０１が取得したタグの情報に基づいて、設備に対応した作業内容が含まれた作業情報をデータ記憶部６０から読み出して作業員Ｗに提示する構成することもできる。
【００４２】
（手順Ｍ４）：作業員Ｗは、提示された作業内容に基づいて設備に対する作業を行い、ユーザーインターフェース部４０を操作して、行った作業の結果を作業支援端末装置１に入力する。この操作を受け付けたユーザーインターフェース部４０は、入力された作業結果の情報を、作業内容処理部２０３に出力する。これにより、作業内容処理部２０３は、現在位置の位置情報の取得を位置情報取得部１０に要求する。そして、位置情報取得部１０は、作業内容処理部２０３からの要求に応じて取得した位置情報（第２の位置情報）を作業内容処理部２０３に出力する。その後、作業内容処理部２０３は、位置情報取得部１０から取得した位置情報と、ユーザーインターフェース部４０から入力された作業結果の情報とを対応付けた作業情報を、データ記憶部６０に記憶させる。このとき、地図作成部２０２は、作業情報に対応付けられた位置情報に基づいて、作業情報が記憶されたことを表すために通過ポイントＰと区別した別の記号（第２の記号）を示した地図のデータを作成する。なお、地図作成部２０２は、手順Ｍ２において作成した地図に含まれる現在位置の通過ポイントＰの記号を、作業情報が記憶されたことを表す記号に変更してもよい。図２（ｂ）においては、作業情報が記憶された現在位置に、丸の記号で表したチェックポイントＣ（例えば、設備Ｅ１における作業では、チェックポイントＣ１）を示した地図の一例を示している。なお、チェックポイントＣの記号は、上述した丸の記号に限定されるものではなく、記号の形状や色を変えることによって、チェックポイントＣとする作業現場において行う作業の種類（例えば、データの計測、目視など）を示してもよい。
【００４３】
なお、手順Ｍ４において、作業支援端末装置１に備えた通信部５０１が、設備に設置された計測器との通信を行って計測結果を取得した場合には、取得した計測結果も、位置情報に対応付けられた作業情報としてデータ記憶部６０に記憶させる。
【００４４】
（手順Ｍ５）：作業員Ｗは、作業支援端末装置１を携帯して次の作業現場である設備に向かう。このとき、手順Ｍ２と同様に、タイマー部２０１が、設定された時間間隔で位置情報の取得を位置情報取得部１０に要求し、タイマー部２０１からの要求に応じて位置情報取得部１０が逐次取得した位置情報をデータ記憶部６０に記憶させる。また、地図作成部２０２も手順Ｍ２と同様に、位置情報取得部１０が逐次取得した位置情報を通過ポイントＰとして、地図のデータを作成する。
【００４５】
以降、作業員Ｗは、手順Ｍ３〜手順Ｍ５を、今回の一連の作業が終了するまで繰り返す。このような作業員Ｗによる一連の作業によって、作業支援端末装置１では、位置情報取得部１０が取得した位置情報と、作業員Ｗによって入力された作業結果とに基づいて、プラント内のそれぞれの場所に設置された設備に出向くための経路として表される通過ポイントＰと、作業を行う設備として表されるチェックポイントＣとが示された地図を作成する。
【００４６】
なお、上述したように、作業支援端末装置１では、タイマー部２０１に設定された時間間隔で、位置情報取得部１０が位置情報を逐次取得している。このため、地図作成部２０２は、作成した地図を表示部３０に表示するための表示画面を逐次生成することができる。そして、地図作成部２０２は、最新の位置情報によって表される通過ポイントＰの記号を、作業支援端末装置１の現在位置を表す記号に変更した表示画面を生成してもよい。図２（ｂ）においてが、現在位置の通過ポイントＰの記号を、三角形の記号で表した現在位置ポイントＰＰに変更して示した地図の一例を示している。そして、地図作成部２０２が、最新の位置情報に基づいて現在位置ポイントＰＰを表した表示画面を逐次生成して更新することによって、表示部３０に表示させる地図に、作業支援端末装置１や作業員Ｗが移動する様子を示すことができる。
【００４７】
（手順Ｍ６）：作業員Ｗは、今回の一連の作業が終了すると、ユーザーインターフェース部４０を操作して、全ての作業が終了したことを作業支援端末装置１に通知する。この操作を受け付けたユーザーインターフェース部４０は、地図の作成を終了することを表す情報をデータ処理部２０に出力する。これにより、データ処理部２０は、地図作成部２０２による地図の作成、作業内容処理部２０３による作業情報のデータ記憶部６０への記憶、およびタイマー部２０１による設定された時間間隔での位置情報の取得の依頼を終了する。
【００４８】
このような手順によって作業支援端末装置１では、地図作成部２０２が、位置情報取得部１０が取得した位置情報に基づいて、プラント内に設置されたそれぞれの設備の位置関係を正確に反映した地図を作成することができる。また、作業支援端末装置１では、作業内容処理部２０３が、位置情報取得部１０から取得した位置情報と、作業員Ｗが行ったそれぞれの設備に対する作業結果の情報とを対応付けて記憶することができる。これにより、作業支援端末装置１を他の作業員が使用した場合でも、それぞれの作業現場に効率的に出向くことができ、その作業現場での作業を容易に把握して実施することができる。
【００４９】
なお、上述した地図を作成する手順では、手順Ｍ３において作業員Ｗが作業内容の提示を指示する場合を示したが、熟練した作業員Ｗの場合、作業内容を熟知しているため、作業内容の提示を指示しないことも考えられる。しかし、手順Ｍ４において、行った作業の結果を作業支援端末装置１に入力することが行われれば、例え作業員Ｗが作業内容の提示を指示しなかった場合でも、作業を行った設備の位置をチェックポイントＣとした地図のデータを作成することができる。
【００５０】
なお、作業員Ｗが、地図のデータの作成が終了した作業支援端末装置１を、例えば、プラント内の事務所に持ち帰った場合、作業支援端末装置１は、通信部５０１による通信によって、事務所内の他の作業支援端末装置１と、作成した地図のデータを共有するようにしてもよい。また、通信部５０１が、例えば、事務所内に設置されているサーバ装置と通信によって、作成した地図のデータをサーバ装置に記憶させ、作成した地図のデータを、サーバ装置を介して事務所内の他の作業支援端末装置１と共有するようにしてもよい。
【００５１】
次に、作業支援端末装置１の表示部３０に表示する地図のより具体的な一例について説明する。図３は、本実施形態の作業支援端末装置１において作成された地図を表示する一例を示した図である。図３は、地図作成部２０２が生成する表示画面（以下、「地図画面」という）の一例を示している。地図画面には、地図表示領域Ｆｍと、表示内容制御領域Ｆｃと、検索機能領域Ｆｓと、地図編集領域Ｆｅとを含んでいる。
【００５２】
地図表示領域Ｆｍは、上述した地図を作成する手順によって作成した地図を表示する領域である。図３には、地図作成部２０２が作成した図２（ｂ）に示した地図を表示している場合を示している。
【００５３】
表示内容制御領域Ｆｃは、地図表示領域Ｆｍに表示される地図に対して、表示する内容を制御するための制御ボタンを表示する領域である。図３には、地図表示領域Ｆｍに表示された地図に、それぞれの設備に対して行った作業の状態を重畳して表示させるための「状態」ボタンと、それぞれの設備に出向く際の順路を重畳して表示させるための「順路」ボタンと、それぞれの設備において作業を行う作業現場の場所の高さを重畳して表示させるための「高さ」ボタンとを表示している場合を示している。また、図３には、地図作成部２０２が作成した地図をより視覚的に表すために、地図表示領域Ｆｍに表示される地図に対して装飾を施すための「装飾」ボタンを表示している場合を示している。
【００５４】
検索機能領域Ｆｓは、検索用の文言を入力することによって、入力された文言をキーワードとして検索を行わせるための領域である。例えば、作業員Ｗは、設備に到着した際に、検索機能領域Ｆｓに設備に割り当てられたタグなどの識別情報を入力し、その後「検索」ボタンをタップする。この操作をユーザーインターフェース部４０が受け付けて作業内容処理部２０３に出力することによって、作業内容処理部２０３は、検索機能領域Ｆｓに入力された識別情報が割り当てられた設備に対する作業内容が含まれた作業情報をデータ記憶部６０から読み出して作業員Ｗに提示する。
【００５５】
地図編集領域Ｆｅは、表示内容制御領域Ｆｃ内に示された「装飾」ボタンに応じて地図表示領域Ｆｍに表示される地図に対して装飾を施すための種々の操作ボタンを表示する領域である。図３には、「装飾」ボタンに応じて地図に対して装飾を施すための操作ボタンの一例として、「補助線」ボタン、「注意エリア」ボタン、「移動」ボタン、「メモ」ボタン、および「リスト読み込み」ボタンを示している。
【００５６】
ここで、地図編集領域Ｆｅに示されたそれぞれの操作ボタンを使用して地図に対して装飾を施す動作の一例について説明する。まず、プラント内に設置された設備同士の接続に関する情報がそれぞれの設備ごとにまとめられた設備関連リストに基づいて、地図に表されたそれぞれの設備（チェックポイントＣ）の接続関係を視覚的に表す装飾を施す場合の動作について説明する。
【００５７】
図４は、本実施形態の作業支援端末装置１において作成された地図を装飾する一例を示した図である。図４（ａ）には、設備関連リストの一例を示し、図４（ｂ）には、地図作成部２０２によって作成された地図に含まれるそれぞれの設備を接続する配管を装飾として施した地図の一例を示している。
【００５８】
図４（ａ）に示したように、設備関連リストには、材料（例えば、流体など）の供給元となる設備（例えば、タンクＴ）に、材料を供給するための配管と、材料の供給先となる設備、つまり、配管に接続される機器（例えば、機器Ａ１は流体の流量を制御するバルブ、機器Ａ２は流体の流量を計測する流量計）が予め列挙されている（リストアップされている）。なお、設備関連リストには、設備同士の接続に関する情報として、例えば、タンクＴは配管Ｘに接続されている、機器Ａ１は配管Ｘに接続されている、機器Ａ２は配管Ｘに接続されていることを表す情報も含まれている。そして、作業員Ｗは、以下のような手順によって、地図作成部２０２が作成した地図に配管の装飾を施す。なお、上述したように、作業支援端末装置１は、設備関連リストをデータ記憶部６０に記憶している。
【００５９】
（手順Ｄ１）：作業員Ｗは、作業支援端末装置１の表示部３０に地図作成部２０２が作成した地図が表示された状態で、表示内容制御領域Ｆｃ内の「装飾」ボタンＢ１をタップして、地図編集領域Ｆｅにそれぞれの操作ボタンを表示させる。そして、作業員Ｗは、地図編集領域Ｆｅ内の「リスト読み込み」ボタンＢ２をタップすることによって、設備関連リストの読み込みを指示する。この操作を受け付けたユーザーインターフェース部４０は、設備関連リストの読み込みが指示されたことを表す情報を、地図作成部２０２に出力する。これにより、地図作成部２０２は、データ記憶部６０から設備関連リストを読み出す。
【００６０】
（手順Ｄ２）：そして、地図作成部２０２は、読み出した設備関連リストに含まれる材料の供給元および供給先のそれぞれの設備の位置情報と、地図表示領域Ｆｍ内に表示しているそれぞれのチェックポイントＣの位置情報とを比較し、材料の供給元および供給先のそれぞれの設備とそれぞれのチェックポイントＣとを対応付ける。なお、地図作成部２０２は、設備関連リストに含まれるそれぞれの設備に割り当てられたタグなどの識別情報と、それぞれのチェックポイントＣの作業情報に含まれる識別情報とを比較することによって、材料の供給元および供給先のそれぞれの設備とそれぞれのチェックポイントＣとを対応付けてもよい。
【００６１】
（手順Ｄ３）：その後、地図作成部２０２は、対応付けたそれぞれのチェックポイントＣを接続する配管を模式的に示した地図画面を生成し、生成した地図画面を表示部３０に出力して表示させる。これにより、図４（ｂ）に示したように、それぞれのチェックポイントＣ同士が接続された地図が地図表示領域Ｆｍに表示される。図４（ｂ）に示した一例では、手順Ｄ２において、チェックポイントＣ１（設備Ｅ１）が設備関連リストに含まれるタンクＴであり、チェックポイントＣ２（設備Ｅ２）およびチェックポイントＣ３（設備Ｅ３）のそれぞれが設備関連リストに含まれる機器Ａ１および機器Ａ２のそれぞれであると対応付けられ、チェックポイントＣ１〜チェックポイントＣ３のそれぞれを配管Ｘで接続した場合を示している。なお、図４（ｂ）に示した一例では、配管Ｘに接続されている機器Ａ３（図４（ａ）参照）は、地図画面内に表れていないため、接続されていない。
【００６２】
（手順Ｄ４）：また、地図作成部２０２は、それぞれのチェックポイントＣ同士を配管Ｘの装飾によって接続することを表す情報を、地図画面を生成する際の補足情報としてデータ記憶部６０に記憶する。これにより、別の機会に作業支援端末装置１を使用するときでも、チェックポイントＣ１〜チェックポイントＣ３を含む領域を表示部３０に表示させると、配管Ｘの装飾がされた地図が地図表示領域Ｆｍに表示されるようになる。なお、補足情報には、例えば、それぞれのチェックポイントＣの位置を表す地図表示領域Ｆｍ内の座標や、配管Ｘの装飾を表示する地図表示領域Ｆｍ内の座標の情報などが含まれる。
【００６３】
このように、作業支援端末装置１では、設備関連リストの読み込みを指示するのみで、地図作成部２０２が作成した地図にチェックポイントＣ同士を接続する装飾（図４においては配管Ｘの装飾）を施すことができる。なお、作業員Ｗは、地図に配管Ｘの装飾が施された後、配管Ｘの位置を移動させるなど、配管Ｘの装飾を手動で調節することもできる。この場合、作業員Ｗは、地図編集領域Ｆｅ内の「移動」ボタンＢ３をタップした後に、配管Ｘをタップするなどによって選択し、ドラッグして移動させる。このとき、地図作成部２０２は、データ記憶部６０に記憶した補足情報を、手動で調節された配管Ｘの位置を表す情報（例えば、配管Ｘを移動した後の座標の情報）に更新する。
【００６４】
続いて、プラント内の道路や種々の領域を描画して、例えば、それぞれの設備への経路や周辺の状況など、プラント内の状況を視覚的に表す装飾を地図に施す場合の動作について説明する。図５は、本実施形態の作業支援端末装置１において作成された地図を装飾する別の一例を示した図である。図５には、地図作成部２０２によって作成された地図に、プラント内の道路の情報を装飾として施した地図の一例を示している。また、図５には、プラント内の注意箇所の情報も一例として示している。作業員Ｗは、以下のような手順によって、地図作成部２０２が作成した地図に道路や注意箇所の装飾を施す。
【００６５】
（手順Ｄ１１）：作業員Ｗは、作業支援端末装置１の表示部３０に地図作成部２０２が作成した地図が表示された状態で、表示内容制御領域Ｆｃ内の「装飾」ボタンＢ１をタップして、地図編集領域Ｆｅにそれぞれの操作ボタンを表示させる。
【００６６】
（手順Ｄ１２）：そして、地図作成部２０２が作成した地図に道路の装飾を施す場合、作業員Ｗは、地図編集領域Ｆｅ内の「補助線」ボタンＢ４をタップする。
【００６７】
（手順Ｄ１３）：その後、作業員Ｗは、地図表示領域Ｆｍにおいてプラント内の道路として描画する直線の２点を順次タップする。この操作を受け付けたユーザーインターフェース部４０は、最初にタップされた位置を始点とし、次にタップされた位置を終点とした、それぞれの位置の情報（以下、「描画位置情報」という）を、地図作成部２０２に出力する。これにより、地図作成部２０２は、タップされた２点の間を結ぶ補助線（直線）を描画した地図画面を生成し、生成した地図画面を表示部３０に出力して表示させる。
【００６８】
（手順Ｄ１４）：また、地図作成部２０２は、描画した補助線の位置を表す情報（描画位置情報）を、地図画面を生成する際の補足情報としてデータ記憶部６０に記憶する。これにより、別の機会に作業支援端末装置１を使用するときでも、描画した補助線の位置を含む領域を表示部３０させると、補助線が装飾として描画された地図が地図表示領域Ｆｍに表示されるようになる。なお、補足情報には、例えば、描画した補助線の位置を表す地図表示領域Ｆｍ内の座標の情報などが含まれる。
【００６９】
以降、作業員Ｗは、手順Ｄ１３を繰り返すことによって、地図作成部２０２は、手順Ｄ１３における補助線の描画と、手順Ｄ１４における補足情報の記憶とを繰り返す。これにより、図５に示したように、複数の補助線（補助線Ｌ１〜補助線Ｌ１２）によってプラント内の道路が表された地図が地図表示領域Ｆｍに表示される。
【００７０】
なお、プラント内の道路として描画する補助線は、２点をタップすることによって描画される２点間を結ぶ直線の集まりで描画するのみではなく、複数の点をタップすることによってそれぞれの点を順次結んだ直線の集まりとして描画させるようにしてもよい。また、例えば、描画した直線を中心とした道路の幅を選択することによりプラント内の道路を描画するようにしてもよい。
【００７１】
（手順Ｄ１２−２）：また、地図作成部２０２が作成した地図に注意箇所の装飾を施す場合、作業員Ｗは、地図編集領域Ｆｅ内の「注意エリア」ボタンＢ５をタップする。
【００７２】
（手順Ｄ１３−２）：その後、作業員Ｗは、地図表示領域Ｆｍにおいてプラント内の注意箇所として描画する範囲を、起点の位置から終点の位置までドラッグする。この操作を受け付けたユーザーインターフェース部４０は、ドラッグされた起点の位置と終点の位置を表す描画位置情報を、地図作成部２０２に出力する。これにより、地図作成部２０２は、描画位置情報で示された矩形の範囲内に、注意箇所であることを表す表示（例えば、黄色と黒色との縞模様）を描画した地図画面を生成し、生成した地図画面を表示部３０に出力して表示させる。
【００７３】
（手順Ｄ１４−２）：また、地図作成部２０２は、描画した注意箇所の位置を表す情報（描画位置情報）を、地図画面を生成する際の補足情報としてデータ記憶部６０に記憶する。これにより、別の機会に作業支援端末装置１を使用するときでも、描画した注意箇所の位置を含む領域を表示部３０させると、注意箇所が装飾として描画された地図が地図表示領域Ｆｍに表示されるようになる。図５には、プラント内で補助線Ｌ５と補助線Ｌ７とで示された道路の特定の領域に、注意箇所Ｎ１が示された地図が地図表示領域Ｆｍに表示されている場合を示している。なお、補足情報には、例えば、描画した注意箇所の位置と範囲とを表す地図表示領域Ｆｍ内の座標の情報などが含まれる。
【００７４】
なお、注意箇所が複数ある場合には、作業員Ｗが手順Ｄ１３−２を繰り返す。これにより、地図作成部２０２が、手順Ｄ１３−２における注意箇所の描画と、手順Ｄ１４−２における補足情報の記憶とを繰り返し、複数の注意箇所を示した地図が地図表示領域Ｆｍに表示される。
【００７５】
このように、作業支援端末装置１では、地図表示領域Ｆｍに表示された地図に装飾を施すことによって、地図作成部２０２が作成した地図を、視覚的により見やすくした、すなわち、他の作業員でも地図に示されたそれぞれの設備の位置関係をより把握しやすくした地図を作成することができる。
【００７６】
なお、作業員Ｗは、地図に施した装飾に合わせて、例えば、チェックポイントＣの位置をわずかに移動させるなど、装飾やチェックポイントＣの位置を手動で調節することもできる。この場合、作業員Ｗは、地図編集領域Ｆｅ内の「移動」ボタンＢ３をタップした後に、移動させる装飾やチェックポイントＣをタップするなどによって選択し、ドラッグして移動させる。このとき、地図作成部２０２は、データ記憶部６０に記憶した補足情報を、手動で調節された装飾やチェックポイントＣの位置の情報（例えば、装飾やチェックポイントＣを移動した後の座標の情報）に更新する。これにより、例えば、チェックポイントＣが近い位置に複数存在する場合でも、それぞれのチェックポイントＣを別々に認識できるようにした地図にすることができる。ただし、チェックポイントＣを手動で移動する場合には、このチェックポイントＣに対応付けられている、位置情報取得部１０から取得した位置情報は更新（変更）しない。つまり、チェックポイントＣが手動で移動された場合には、地図を表示するために使用する位置情報（例えば、地図表示領域Ｆｍ内の座標の情報）のみを更新する。これにより、実際のチェックポイントＣの位置として、位置情報取得部１０から取得した正確な位置情報が維持される。
【００７７】
続いて、作業支援端末装置１における地図の表示以外に関する装飾を地図に施す場合の動作について説明する。作業支援端末装置１において地図表示領域Ｆｍに表示する地図に施すことができる装飾は、地図の表示に関する装飾以外にも、様々な装飾を施すことができる。例えば、地図表示領域Ｆｍに表示されたそれぞれのチェックポイントＣで行う作業を補足する情報や、それぞれの設備に向かう際の注意事項などの情報も、装飾として表示させることができる。図６は、本実施形態の作業支援端末装置１において作成された地図を装飾するさらに別の一例を示した図である。図６には、地図作成部２０２によって作成され、さらに配管Ｘと、プラント内の道路および注意箇所との装飾が施された地図において、チェックポイントＣ１と注意箇所Ｎ１とのそれぞれの付加情報を装飾として施した地図の一例を示している。作業員Ｗは、以下のような手順によって、地図表示領域Ｆｍに表示された地図に付加情報の装飾を施す。
【００７８】
（手順Ｄ２１）：作業員Ｗは、作業支援端末装置１の表示部３０に地図画面が表示された状態で、表示内容制御領域Ｆｃ内の「装飾」ボタンＢ１をタップして、地図編集領域Ｆｅにそれぞれの操作ボタンを表示させる。そして、作業員Ｗは、地図編集領域Ｆｅ内の「メモ」ボタンＢ６をタップすることによって、メモを追加することを指示する。
【００７９】
（手順Ｄ２２）：そして、作業員Ｗは、地図表示領域Ｆｍ内の任意の位置をタップすることによって、メモを追加する位置を指定する。この操作を受け付けたユーザーインターフェース部４０は、メモを追加が指定された位置の情報（以下、「メモ位置情報」という）を、地図作成部２０２に出力する。これにより、地図作成部２０２は、タップされた位置にメモを表す表示を描画した地図画面を生成し、生成した地図画面を表示部３０に出力して表示させる。さらに、地図作成部２０２は、メモを入力するための手段として、例えば、キーパッドや手書き入力パッドを地図画面に重畳して表示部３０に表示させる。
【００８０】
（手順Ｄ２３）：その後、作業員Ｗは、地図画面に重畳されたキーパッドや手書き入力パッドを使用して、追加するメモの内容を入力する。この操作を受け付けたユーザーインターフェース部４０は、入力されたメモの内容を表す情報を、地図作成部２０２に出力する。これにより、地図作成部２０２は、タップされた位置に表示したメモの描画内に、入力されたメモの内容を反映した地図画面を生成し、生成した地図画面を表示部３０に出力して表示させる。
【００８１】
（手順Ｄ２４）：また、地図作成部２０２は、描画したメモの位置を表す情報（メモ位置情報）と、メモの内容を表す情報とを、地図画面を生成する際の補足情報としてデータ記憶部６０に記憶する。これにより、別の機会に作業支援端末装置１を使用するときでも、メモを追加した位置を含む領域を表示部３０させると、追加されたメモが装飾として描画された地図が地図表示領域Ｆｍに表示されるようになる。なお、補足情報には、例えば、メモの位置を表す地図表示領域Ｆｍ内の座標の情報などが含まれる。
【００８２】
なお、追加するメモが複数ある場合には、作業員Ｗが手順Ｄ２２および手順Ｄ２３を繰り返す。これにより、地図作成部２０２が、手順Ｄ２２〜手順Ｄ２４におけるメモを追加する処理を繰り返し、複数の箇所にメモが追加された地図が地図表示領域Ｆｍに表示される。図６には、チェックポイントＣ１に対応した位置に「交換予定」という内容のメモＭ１が追加され、注意箇所Ｎ１に対応した位置に「凍結注意」という内容のメモＭ２が追加された地図が地図表示領域Ｆｍに表示されている場合を示している。
【００８３】
このように、作業支援端末装置１では、地図表示領域Ｆｍに表示された地図にメモを追加することによって、他の作業員でも、今後予定されている作業や、それぞれの設備に出向く際の注意事項などを、地図を見るのみで把握することができる。
【００８４】
なお、追加したメモの位置も、配管Ｘなどの地図に施した装飾や、チェックポイントＣの位置を移動させる場合と同様の手順によって、手動で移動させることができる。このとき、地図作成部２０２は同様に、データ記憶部６０に記憶した補足情報を、手動で移動されたメモの位置の情報（例えば、メモを移動した後の座標の情報）に更新する。
【００８５】
上述したように、それぞれの手順によって、作業支援端末装置１では、プラント内に設置されたそれぞれの設備の位置関係を正確に反映した地図を作成することができる。より具体的には、作業員Ｗが作業支援端末装置１を携帯してプラント内に設置されたそれぞれの設備に対する作業を行うことによって、作業員Ｗが移動した経路内のそれぞれの位置情報と作業を行った設備の位置情報とを自動的に通過ポイントＰとチェックポイントＣとに分けた（区別した）地図を作成することができる。そして、作業員Ｗによる操作に応じて、作成した地図に装飾を施した視覚的により見やすい地図にすることができる。
【００８６】
なお、上述した地図に対して装飾を施す動作の一例では、作業支援端末装置１であるタブレット端末の操作によって地図に装飾を施す場合についた説明した。しかし、例えば、事務所内に設置されているサーバ装置に地図のデータが記憶されている場合には、地図への装飾を、作業員Ｗが使用するパーソナルコンピュータを使用して行ってもよい。
【００８７】
このようにして作成された地図を確認することによって、熟練した作業員Ｗではない他の作業員であっても、作業現場となる設備に効率的に出向くことができ、その設備に対する作業内容を容易に把握して、作業を行うことができる。
【００８８】
次に、作業支援端末装置１において、それぞれの設備での作業を支援するために表示部３０に表示する地図画面の一例について説明する。図７は、本実施形態の作業支援端末装置１において作成された地図上に作業を支援するための情報を表示する一例を示した図である。
【００８９】
図７に示した地図画面の一例には、地図作成部２０２が作成した地図に含まれるチェックポイントＣ内の数字によって、それぞれの設備に出向く際の順番（順路）を表した場合を示している。それぞれの設備に出向く際の順番は、作業員が表示内容制御領域Ｆｃ内の「順路」ボタンＢ７をタップすることによって、地図に重畳して表示させることができる。図７には、チェックポイントＣ１（設備Ｅ１）、チェックポイントＣ２（設備Ｅ２）、チェックポイントＣ３（設備Ｅ３）、チェックポイントＣ４（設備Ｅ４）の順番で出向くことを示している。
【００９０】
このように、それぞれの設備に出向く際の順番（順路）を示すことによって、例えば、熟練した作業員Ｗが作業支援端末装置１を使用して以前行った作業の順番を、作業員Ｗと異なる他の作業員（以下、「作業員Ｗ２」という）も確認することができ、作業員Ｗ２が作業員Ｗと同様の作業を行う際に、それぞれの設備への移動を支援することができる。なお、それぞれの設備に出向く際の順番（順路）を表す方法は、上述したチェックポイントＣ内の数字で表す方法に限定されるものではなく、例えば、地図に含まれるそれぞれの通過ポイントＰの記号を、順路を示す矢印や三角の記号に変更して表す方法であってもよい。
【００９１】
また、図７に示した地図画面の一例には、チェックポイントＣの網掛けや色を変えることによって、以前行われた作業の結果（状態）を表した場合を示している。それぞれの設備において以前行われた作業の結果（状態）は、作業員Ｗ２が表示内容制御領域Ｆｃ内の「状態」ボタンＢ８をタップすることによって、地図に重畳して表示させることができる。このとき、地図作成部２０２は、データ記憶部６０に記憶されている作業情報に含まれる作業結果の情報に基づいて、それぞれの設備における作業結果を表示させる。例えば、作業結果が問題ない（作業結果ＯＫである）場合には「緑色」、作業結果に問題があった（作業結果ＮＧである）場合には「赤色」、作業結果から状態を判定することができない（判定不能である）場合には「黄色」、作業情報に作業結果が含まれていない、つまり、作業が未実施である場合には「白色」というように、チェックポイントＣの色を変えることによって、以前の作業結果を視覚的に把握しやすくする。
【００９２】
このように、それぞれの設備において以前行われた作業の結果（状態）を事前に示すことにより、作業員Ｗ２によるプラントの全体の作業結果の確認や作業が未実施の設備の確認を支援することができる。なお、それぞれの設備において以前行われた作業の結果（状態）を表す方法は、上述したチェックポイントＣの網掛けや色を変える方法に限定されるものではなく、例えば、チェックポイントＣの記号の形状（上記の説明では丸の記号）を、二重丸、バツ、三角などの異なる形状の記号や文字で表す方法であってもよい。
【００９３】
また、図７に示した地図画面の一例には、それぞれの設備において作業を行う作業現場の高さ（高低差）の情報を、それぞれのチェックポイントＣの近傍に表した場合を示している。それぞれの設備において作業を行う作業現場の高さ（高低差）の情報は、作業員Ｗ２が表示内容制御領域Ｆｃ内の「高低差」ボタンＢ９をタップすることによって、地図に重畳して表示させることができる。このとき、地図作成部２０２は、データ記憶部６０に記憶されている作業情報に含まれる作業現場の高さの情報、または地図を作成する手順Ｍ４において作業内容処理部２０３が作業結果を記録する際に位置情報取得部１０から取得した位置情報に含まれる高さの情報に基づいて、それぞれの設備において作業を行う作業現場の高さを表示させる。図７には、チェックポイントＣ１（設備Ｅ１）での作業が「＋３．１ｍ」の場所であり、チェックポイントＣ２（設備Ｅ２）での作業が「−０．１ｍ」の場所であり、チェックポイントＣ３（設備Ｅ３）での作業が「＋０．２ｍ」の場所であり、チェックポイントＣ４（設備Ｅ４）での作業が「＋０．１ｍ」の場所であることを示している。なお、図７には、作業を行う場所が上方であるのか下方であるのかを視覚的に把握しやすくするために、高さの情報に加えて方向を表す矢印を示している。
【００９４】
このように、それぞれの設備において作業を行う作業現場の高さ（高低差）の情報を示すことによって、作業現場の平面的な位置のみではなく、作業員Ｗ２による作業現場の高さ方向の位置の把握を支援することができる。なお、図７では、作業現場の高さ（高低差）は、それぞれの設備が配置された地面の高さを基準とした高さにしたが、これに限定されるものではなく、例えば、現在位置の高さを基準とした作業現場の高さ、つまり、現在位置と作業現場の高さとの相対的な高さを示してもよい。
【００９５】
次に、作業支援端末装置１において検索機能を使用する地図画面の一例について説明する。図８は、本実施形態の作業支援端末装置１において作成された地図上に検索結果を表示する一例を示した図である。図８に示した地図画面の一例には、作業員Ｗ２が出向く先の設備を検索した結果を、地図作成部２０２が作成した地図に重畳して表した場合を示している。
【００９６】
作業員Ｗ２が出向く先の設備が配置されたプラント内の場所を検索する場合、まず、作業員Ｗ２は、検索機能領域Ｆｓ内の検索キーワード入力領域Ｓ１をタップする。この操作を受け付けたユーザーインターフェース部４０は、検索キーワードの入力が指示されたことを表す情報を、地図作成部２０２に出力する。これにより、地図作成部２０２は、検索キーワードを入力するための手段として、例えば、キーパッドや手書き入力パッドを地図画面に重畳して表示部３０に表示させる。作業員Ｗ２は、地図画面に重畳されたキーパッドや手書き入力パッドを使用して、配置されている場所を検索する設備に割り当てられたタグなどの識別情報を入力し、その後、「検索」ボタンＢ１０をタップする。この操作を受け付けたユーザーインターフェース部４０は、入力された検索キーワードの内容を表す情報と、検索が実行されたことを表す情報とを、地図作成部２０２に出力する。
【００９７】
これにより、地図作成部２０２は、データ記憶部６０に記憶されているそれぞれの設備の作業情報の中から、検索キーワードとして入力された識別情報が含まれる作業情報を検索して設備を特定する。そして、地図作成部２０２は、特定した設備の作業情報に含まれる位置情報を取得し、取得した位置情報が対応付けられているチェックポイントＣを示す記号を、地図に重畳して表示させる。このとき、地図作成部２０２は、チェックポイントＣを示す記号に加えて、特定した設備の作業情報に含まれる設備の情報を、チェックポイントＣの近傍に表示させてもよい。
【００９８】
図８には、検索キーワードとして「ＴＡＧ００１」という識別情報が入力され、この識別情報が割り当てられた設備がチェックポイントＣ４の設備Ｅ４であると特定されたことによって、チェックポイントＣ４の位置を視覚的に把握しやすくするための矢印と「Ｔａｒｇｅｔ」の文字とを示している。また、図８では、チェックポイントＣ４の近傍に、「タグ」、「ベンダ」、「機種」、「改訂番号（Ｒｅｖｉｓｉｏｎ）」のそれぞれの設備Ｅ４の情報の一例を重畳して表示させている場合を示している。なお、このとき、表示させる設備Ｅ４の情報の内、検索キーワードに該当する情報（この例では、「タグ」の情報である「ＴＡＧ００１」）を強調して表示させてもよい。
【００９９】
このように、作業支援端末装置１では、検索機能領域Ｆｓ内の検索キーワード入力領域Ｓ１に検索キーワードを入力して検索することにより、検索対象の設備が配置されているプラント内の位置を、作業員Ｗ２に視覚的に把握しやすくすることができる。
【０１００】
上述したように、作業支援端末装置１では、それぞれの設備での作業を支援するための情報を、地図作成部２０２が作成した地図、つまり、それぞれの設備に出向く際に参照するために表示した地図に重畳して表示することができる。これにより、作業員Ｗ２は、それぞれの設備での作業を支援するための情報が重畳された地図を確認しながら、目的の設備に効率的に出向くことができる。
【０１０１】
次に、作業員Ｗ２が作業支援端末装置１を使用してプラント内のそれぞれの設備に対する作業を行う手順に従って、作業支援端末装置１の動作を説明する。なお、以下の説明においては、作成された地図のデータや、それぞれの設備において行う作業の内容が、作業支援端末装置１に備えたデータ記憶部６０にすでに記憶されているものとして説明を行う。
【０１０２】
（手順Ｕ１）：作業員Ｗ２は、作業支援端末装置１を起動し、ユーザーインターフェース部４０を操作して、位置情報取得部１０によって位置情報を取得する時間の間隔を設定する。この操作を受け付けたユーザーインターフェース部４０は、設定された時間間隔の情報を、データ処理部２０に出力する。そして、データ処理部２０は、ユーザーインターフェース部４０から入力された時間間隔の情報をタイマー部２０１に設定し、位置情報取得部１０による位置情報の取得を開始する。
【０１０３】
（手順Ｕ２）：作業員Ｗ２は、ユーザーインターフェース部４０を操作して、地図作成部２０２が作成した地図画面の表示部３０への表示を指示する。この操作を受け付けたユーザーインターフェース部４０は、地図画面の表示が指示されたことを表す情報を、地図作成部２０２に出力する。これにより、地図作成部２０２は、データ記憶部６０に記憶されている地図のデータおよび補足情報をデータ記憶部６０から読み出して地図画面を生成し、生成した地図画面を表示部３０に出力して表示させる。ここでは、例えば、図６に示したような地図画面が表示部３０に表示される。
【０１０４】
（手順Ｕ３）：作業員Ｗ２は、ユーザーインターフェース部４０を操作して、表示部３０に表示された地図に、それぞれの設備での作業を支援するための情報を表示させる。例えば、作業員Ｗ２が表示内容制御領域Ｆｃ内の「状態」ボタンＢ８と、「順路」ボタンＢ７と、「高さ」ボタンＢ９とをタップする。これにより、地図作成部２０２は、例えば、図７に示したような、種々の支援情報が含まれた地図画面を生成して表示部３０に表示させる。
【０１０５】
（手順Ｕ４）：作業員Ｗ２は、地図画面が表示された作業支援端末装置１を携帯して、それぞれの設備に出向く。このとき、タイマー部２０１は、設定された時間間隔で位置情報の取得を位置情報取得部１０に要求する。そして、位置情報取得部１０は、タイマー部２０１からの要求に応じて取得した位置情報を逐次、地図作成部２０２に出力する。これにより、地図作成部２０２は、作業員Ｗ２の現在位置を表す現在位置ポイントＰＰを重畳した地図画面を逐次生成し、表示部３０に表示した地図を逐次更新して、作業員Ｗ２が移動する様子を示す。
【０１０６】
（手順Ｕ５）：作業員Ｗ２は、作業現場（例えば、設備Ｅ１）に到着すると、ユーザーインターフェース部４０を操作して、作業内容の提示を作業支援端末装置１に指示する。より具体的には、作業員Ｗは、現在位置のチェックポイントＣをタップする。この操作を受け付けたユーザーインターフェース部４０は、作業内容の提示が指示されたことを表す情報を、作業内容処理部２０３に出力する。これにより、作業内容処理部２０３は、現在位置のチェックポイントＣに対応付けられた設備に対する作業の内容が含まれた作業情報をデータ記憶部６０から読み出し、読み出した作業情報（作業内容）を作業員Ｗ２に提示するための、例えば、図９に示したような表示画面（以下、「作業情報画面」という）を生成して表示部３０に出力する。これにより、表示部３０は、ユーザーインターフェース部４０の操作によって要求された、現在位置のチェックポイントＣの設備に対する作業情報画面によって作業内容を表示（提示）する。
【０１０７】
なお、作業内容を表示部３０に表示させるための作業員Ｗ２の操作としては、例えば、現在位置の設備に割り当てられたタグなどの識別情報をキーワードとして設備を検索し、検索された設備をタップすることによっても、現在位置のチェックポイントＣの設備に対する作業内容を表示部３０に表示させることができる。
【０１０８】
（手順Ｕ６）：作業員Ｗ２は、提示された作業内容に基づいて設備に対する作業を行い、ユーザーインターフェース部４０を操作して、行った作業の結果を作業支援端末装置１に入力する。この操作を受け付けたユーザーインターフェース部４０は、入力された作業結果の情報を、作業内容処理部２０３に出力する。これにより、作業内容処理部２０３は、データ記憶部６０から読み出した作業情報に、ユーザーインターフェース部４０から入力された作業結果の情報を追加し、作業結果の情報を追加した作業情報をデータ記憶部６０に記憶させる。
【０１０９】
なお、手順Ｕ６において、作業支援端末装置１に備えた通信部５０１が、現在位置のチェックポイントＣの設備に設置された計測器との通信を行って計測結果を取得した場合には、取得した計測結果も、作業結果の情報として作業情報に追加してデータ記憶部６０に記憶させてもよい。
【０１１０】
（手順Ｕ７）：作業員Ｗ２は、作業支援端末装置１を携帯して次の作業現場である設備に向かう。このとき、手順Ｕ４と同様に、タイマー部２０１が、設定された時間間隔で位置情報の取得を位置情報取得部１０に要求し、位置情報取得部１０が、タイマー部２０１からの要求に応じて取得した位置情報を逐次、地図作成部２０２に出力し、地図作成部２０２が、作業員Ｗ２の現在位置を表す現在位置ポイントＰＰを重畳した地図画面を逐次生成して、作業員Ｗ２が移動する様子を示した地図を表示部３０に逐次表示させる。
【０１１１】
以降、作業員Ｗ２は、手順Ｕ５〜手順Ｕ７を、今回の一連の作業が終了するまで繰り返す。
【０１１２】
（手順Ｕ８）：作業員Ｗ２は、今回の一連の作業が終了すると、ユーザーインターフェース部４０を操作して、全ての作業が終了したことを作業支援端末装置１に通知する。この操作を受け付けたユーザーインターフェース部４０は、作業が終了したことを表す情報をデータ処理部２０に出力する。これにより、データ処理部２０は、地図作成部２０２による地図画面の生成、およびタイマー部２０１による設定された時間間隔での位置情報の取得の依頼を終了する。
【０１１３】
このような手順によって作業員Ｗ２は、作業支援端末装置１に表示された地図を確認しながら、作業員Ｗが行ったそれぞれの設備に対する一連の作業と同様の作業を行うことができる。そして、作業支援端末装置１では、作業内容処理部２０３が、作業員Ｗが行ったそれぞれの設備に対する作業結果の情報に、作業員Ｗ２が行ったそれぞれの設備に対する作業結果の情報を追加して、データ記憶部６０に記憶することができる。このように、作業支援端末装置１を使用することによって、他の作業員でも、熟練した作業員Ｗと同様に、それぞれの作業現場に効率的に出向いて、その作業現場での作業を行うことができる。
【０１１４】
なお、上述したように、作業支援端末装置１では、データ記憶部６０に記憶している作業情報に、今回の作業結果の情報を追加して再びデータ記憶部６０に記憶させる。つまり、作業支援端末装置１では、作業情報に含まれる作業結果の情報を更新するのではなく、それぞれの作業結果の情報を蓄積していく。これにより、作業員Ｗ２は、それぞれの設備において作業を行う際に、過去の作業結果の情報、つまり、作業結果の履歴を確認することができる。このことにより、例えば、現在作業を行っている設備にトラブルが起こっている場合、作業員Ｗ２は過去の対応方法を参照することができ、今回のトラブルに適した同様の対応を行うことができる。
【０１１５】
なお、作業員Ｗ２が、それぞれの設備において作業が終了した作業支援端末装置１を、例えば、事務所に持ち帰った場合、作業支援端末装置１は、通信部５０１による通信によって、事務所内の他の作業支援端末装置１と、データ記憶部６０に記憶した作業情報のデータを共有するようにしてもよい。また、通信部５０１が、例えば、事務所内に設置されているサーバ装置と通信によって、作業情報のデータをサーバ装置に記憶させ、サーバ装置を介して事務所内の他の作業支援端末装置１と作業情報のデータを共有するようにしてもよい。
【０１１６】
次に、作業支援端末装置１の表示部３０に表示する作業情報画面のより具体的な一例について説明する。図９は、本実施形態の作業支援端末装置１において作業情報を表示する一例を示した図である。図９は、作業内容処理部２０３が生成する作業情報画面の一例を示している。作業情報画面には、作業情報表示領域Ｆｉと、判定結果入力領域Ｆｊと、検索機能領域Ｆｓと、通知機能領域Ｆｎと、計測制御領域Ｆｄとを含んでいる。
【０１１７】
作業情報表示領域Ｆｉは、作業情報を表示し、作業員が行った作業の結果を入力する領域である。図９には、プラント内に配置された設備の稼働状況を調査するために、この設備に設置された計測器の計測結果を入力する作業情報の一例を示している。より具体的には、この設備の「設備名」と、計測結果を入力する「日付」および「時刻」と、計測する、つまり、作業を行う作業員の「作業員名」とを入力し、さらに、作業内容として、「電圧」、「温度」、「圧力」、および「漏れ」の作業結果（計測結果）を入力する作業を行う作業情報を示している。なお、図９に示した作業情報表示領域Ｆｉの一例は、「電圧」、「温度」、および「圧力」のそれぞれの項目は、計測結果の数値を入力し、「漏れ」の項目は、プルダウンメニューから選択することによってそれぞれの項目の作業結果（計測結果）を入力する形式になっている。この作業情報に基づいて作業を行う作業員は、それぞれの項目の入力領域をタップすることによって表示される、例えば、キーパッドや手書き入力パッドなどの入力手段を使用して、それぞれの項目に対応する情報を入力する。
【０１１８】
なお、「設備名」の項目は、作業内容処理部２０３が、データ記憶部６０から読み出した作業情報に基づいて作業情報画面を生成する際に、読み出した作業情報に含まれる設備の名称を予め入力してもよい。また、「日付」および「時刻」の項目は、作業内容処理部２０３が、作業支援端末装置１に備えた時計機能から日付と現在時刻の情報を取得して、作業情報画面を生成する際に予め入力してもよい。また、「作業員名」の項目は、例えば、上述した手順Ｕ１において行う位置情報を取得する時間の間隔の設定と同様に、作業員が作業支援端末装置１を使用してそれぞれの設備に出向く前に設定した作業員名を、作業内容処理部２０３が作業情報画面を生成する際に予め入力してもよい。
【０１１９】
判定結果入力領域Ｆｊは、作業情報表示領域Ｆｉに入力したそれぞれの作業結果（計測結果）に基づいて、作業を行った設備が正常に稼働しているか否かの判定結果を入力する領域である。図９には、設備が正常に稼働している場合には「ＯＫ」ボタンＢ１１をタップし、作業結果（計測結果）に異常が見受けられる場合には「ＮＧ」ボタンＢ１２をタップする形式の判定結果入力領域Ｆｊの表示を示している。
【０１２０】
検索機能領域Ｆｓは、検索用の文言を入力することによって、入力された文言をキーワードとして検索を行わせるための領域である。この検索機能領域Ｆｓは、例えば、作業員Ｗ２が設備に到着した際に、作業情報表示領域Ｆｉに作業情報を表示させる設備の検索や、過去の作業結果の情報の検索などに用いる。なお、検索機能領域Ｆｓは、地図画面における検索機能領域Ｆｓと同様であるため、詳細な説明は省略する。
【０１２１】
通知機能領域Ｆｎは、作業を行った設備における付加的な情報を入力するための入力ボタンを表示する領域である。図９には、作業を行った設備の稼働状況を注意して確認する必要があること示すための「要注意」ボタンＢ１３と、作業を行った設備に対するメモを入力するための「メモ」ボタンＢ６とを表示している場合を示している。
【０１２２】
計測制御領域Ｆｄは、作業を行う設備に設置された計測器からのデータの取得を指示するための指示ボタンを表示する領域である。図９には、作業支援端末装置１の備えた通信部５０１に、設備に設置された計測器との通信を行って計測結果の取得を指示するための「データ取得」ボタンＢ１４を表示している場合を示している。「データ取得」ボタンＢ１４をタップすることによって、この操作を受け付けたユーザーインターフェース部４０が、計測結果の取得が指示されたことを表す情報を、作業内容処理部２０３とデータ取得部５０に出力する。これにより、データ取得部５０は、通信部５０１によって計測器の計測結果のデータを取得し、取得した計測結果のデータをデータ記憶部６０に記憶させる。また、作業内容処理部２０３は、データ記憶部６０に記憶されている計測結果のデータを読み出し、読み出した計測結果の情報を、作業情報表示領域Ｆｉ内の対応する作業内容の項目に反映する。これにより、作業員は、計測器の計測結果を確認することができ、作業を行った設備が正常に稼働しているか否かの判定を行うことができる。
【０１２３】
このように、作業支援端末装置１では、作成された地図を確認しながら作業現場となる設備に出向き、到着した後に作業情報を表示させることによって、出向いた先の設備に対して行う作業を容易に把握して、作業を行うことができる。
【０１２４】
上記に述べたとおり、本発明を実施するための形態によれば、位置情報取得部によって、作業支援端末装置が携帯されてプラント内を移動する際の位置情報を、設定された時間間隔ごとに取得する。そして、本発明を実施するための形態では、地図作成部が、位置情報取得部が取得した位置情報に基づいて、作業支援端末装置が移動した経路を表すプラント内の地図を作成する。また、本発明を実施するための形態では、作業支援端末装置を使用してプラント内に設置された設備に対する作業を行った際に、作業を行った位置の位置情報を、移動した経路の位置を表す位置情報（実施形態においては、通過ポイント）と異なる位置情報（実施形態においては、チェックポイント）として地図を作成する。これにより、本発明を実施するための形態では、プラント内で作業が必要な場所の位置関係を正確に反映し、その場所に出向く際の経路と区別して表した地図を自動的に作成して記録することができる。また、本発明を実施するための形態では、作業員が作業支援端末装置を携帯して移動する際の現在位置の情報を、地図上に逐次示すことができる。
また、本発明を実施するための形態では、それぞれの設備において作業を行う場所の高さなどの情報を、地図上に示すことができる。このことにより、本発明を実施するための形態では、作業員が作業支援端末装置を携帯して地図を確認しながら移動することによって、地図に示された目的の設備に効率的に出向くことができる。つまり、作業支援端末装置を使用することによって、従来のように、間違った設備に向かってしまったり、到着が遅くなってしまったりすることがなくなる。また、従来のように、案内をする作業員の時間を拘束してしまうことがなくなる。
【０１２５】
また、本発明を実施するための形態では、作成した地図に示されたそれぞれの設備の位置関係や接続、それぞれの設備に出向く際の注意事項など、地図に装飾を施すことができる。また、本発明を実施するための形態では、実際の設備の位置を変更せずに、作成した地図に示されるそれぞれの設備の位置を、移動することができる。これにより、本発明を実施するための形態では、作業員が、視覚的により見やすく、より把握しやすくした地図を作成することができる。
【０１２６】
また、本発明を実施するための形態によれば、作業内容処理部が、現在の位置の設備において行う作業の内容を表示させる。そして、本発明を実施するための形態では、作業内容処理部が、表示させた作業の内容に基づいて行った作業の結果と、位置情報取得部によって取得した現在位置の位置情報とを対応付ける。これにより、本発明を実施するための形態では、プラント内で作業が必要な場所の位置と、その場所で行う作業の内容および結果とを対応付けて記録することができる。このことにより、本発明を実施するための形態では、作業を行うそれぞれの設備ごとに作業内容が異なる場合でも、作業員が、その設備に対する作業を容易に把握して、作業を行うことができる。また、本発明を実施するための形態では、それぞれの設備における作業の結果を追加して記憶する。これにより、本発明を実施するための形態では、作業員が、過去の作業の結果に基づいて適切な対応の作業を行うことができる。つまり、設備のトラブル対応の作業を行う場合、作業支援端末装置を使用することによって、設備が復旧するまでの時間の短縮に貢献することができる。
【０１２７】
なお、本発明を実施するための形態では、地図に施す装飾として、それぞれの設備を接続する配管、プラント内の道路および注意箇所、およびメモの一例を示した。しかし、地図に施す装飾は、本発明を実施するための形態において示した装飾に限定されるものではない。例えば、プラントに配置されたそれぞれの設備がどのような設備であるのかを視覚的に把握しやすくするために、それぞれの設備を表す形状（例えば、アイコンなど）を地図上に配置する装飾を行うこともできる。
【０１２８】
ここで、作業支援端末装置１において、地図にさらに装飾を施した場合の一例について説明する。図１０は、本実施形態の作業支援端末装置において作成された地図に装飾を施した一例を示した図である。図１０には、道路に面して設備Ｅ５〜Ｅ２１４が設置されたプラントにおいて作業支援端末装置１が作成した地図の一例を示している。なお、図１０では、地図表示領域Ｆｍ内に表示する地図のみを示している。図１０に示した地図の一例には、設備Ｅ５、設備Ｅ９、設備Ｅ１１、設備Ｅ１３、設備Ｅ１５、設備Ｅ１９、および設備Ｅ２０のそれぞれが機器であり、それぞれの設備を、機器を表す形状のアイコンで示している。また、図１０に示した地図の一例には、設備Ｅ６、設備Ｅ８、設備Ｅ１０、設備Ｅ１４、設備Ｅ１６、設備Ｅ１８、および設備Ｅ２１のそれぞれがバルブであり、それぞれの設備を、バルブを表す形状のアイコンで示している。また、図１０に示した地図の一例には、設備Ｅ７、設備Ｅ１２、および設備Ｅ１７のそれぞれがタンクであり、それぞれの設備を、タンクを表す形状のアイコンで示している。このように、それぞれの設備がどのような設備であるのかを表す形状のアイコンで作成した地図を装飾することによって、地図を確認しながら作業現場となるそれぞれの設備に出向く作業員が、視覚的により把握しやすい地図を作成することができる。
【０１２９】
なお、図１０には、チェックポイントＣ５に対応する設備Ｅ２１であるバルブＤに異常があることを表す、「バルブＤ異常あり！」という内容のメモＭ３が追加されている場合を示している。プラント内を移動してそれぞれの設備において作業を行っている作業員が設備（今回は設備Ｅ２１＝バルブＤ）の異常を発見した場合、上述したように、過去の作業結果の情報を確認することによって、過去の対応方法と同様の対応を行うことができる。しかし、過去の対応方法を実施しても異常（トラブル）が解決しない場合には、図１０に示したメモＭ３のようなトラブルを表す内容のメモを地図上に追加することによって、設備に異常が起きていることを目立たせることができる。このとき、メモの色を変更したり、設備のアイコンの色を変更したりして、異常が起きている設備をさらに目立たせることができる。なお、トラブルが発生している設備を特定することができていない場合には、例えば、異常を発見した位置、すなわち、現在位置の周辺の色や模様を目立たせることもできる。
【０１３０】
そして、メモを追加した作業員は、作業支援端末装置１を、例えば、事務所に持ち帰ることによって、他の作業員に報告して視覚的に認識してもらい、協力を得ることができる。例えば、この異常に対応することができる作業員が、地図上にメモが追加された作業支援端末装置１を携帯して設備Ｅ２１に出向き、適切な対応をすることができる。そして、設備Ｅ２１に対してトラブル対応の作業を行った作業員は、例えば、メモＭ３を削除したり、設備のアイコンの色を元に戻したりすることができる。また、設備Ｅ２１に対してトラブル対応の作業を行った作業員は、例えば、作業情報に、トラブルの内容やトラブルに対応する作業の内容を、備考として記載することもできる。
【０１３１】
このように、作業支援端末装置１では、地図上に様々な装飾を施すことによって、様々な情報を視覚的に認識しやすくして、作業員が行う作業を支援することができる。なお、作業支援端末装置１において作成した地図の表示は、上述したような２次元の表示に限定されるものではなく、高さの情報を含めた３次元の表示にしてもよい。
【０１３２】
また、本発明を実施するための形態では、作業結果を入力する方法として、図９に示したような作業情報画面内のそれぞれの項目に文字や計測結果を入力する場合について説明した。しかし、作業結果を入力する方法は、本発明を実施するための形態において示した装飾に限定されるものではない。例えば、作業支援端末装置１であるタブレット端末に備えた音声入力機能や音声人気機能を利用し、作業員が「ＯＫ」や「ＮＧ」などを発声することによって、判定結果を入力するようにしてもよい。また、例えば、作業支援端末装置１に備えた通信部５０１による設備に設置された計測器との通信において、作業員が設備や計測器に対して操作を行ったことを検出したときに、その操作に応じた結果を作業結果として入力するようにしてもよい。
【０１３３】
なお、例えば、図１に示した作業支援端末装置１を構成するデータ処理部２０内の各構成要素による処理を実現するためのプログラムを、コンピュータ読み取り可能な記録媒体に記録して、当該記録媒体に記録されたプログラムをコンピュータシステムに読み込ませ、実行することにより、本実施形態の作業支援端末装置１に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１３４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現するもの、いわゆる差分ファイル（差分プログラム）であっても良い。
【０１３５】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【０１３６】
１・・・作業支援端末装置
１０・・・位置情報取得部
２０・・・データ処理部（位置情報取得部，地図作成部，作業内容処理部）
２０１・・・タイマー部（位置情報取得部）
２０２・・・地図作成部
２０３・・・作業内容処理部
３０・・・表示部
４０・・・ユーザーインターフェース部（地図作成部，作業内容処理部）
５０・・・データ取得部
５０１・・・通信部
６０・・・データ記憶部
Ｅ１，Ｅ２，Ｅ３，Ｅ４，Ｅ５，Ｅ６，Ｅ７，Ｅ８，Ｅ９，Ｅ１０，Ｅ１１，Ｅ１２，Ｅ１３，Ｅ１４，Ｅ１５，Ｅ１６，Ｅ１７，Ｅ１８，Ｅ１９，Ｅ２０，Ｅ２１・・・設備
Ｗ・・・作業員
Ｐ・・・通過ポイント（第１の記号）
Ｃ１，Ｃ２，Ｃ３，Ｃ４，Ｃ５・・・チェックポイント（第２の記号）
ＰＰ・・・現在位置ポイント
Ｆｍ・・・地図表示領域
Ｆｃ・・・表示内容制御領域
Ｆｓ・・・検索機能領域
Ｆｅ・・・地図編集領域
Ｆｉ・・・作業情報表示領域
Ｆｊ・・・判定結果入力領域
Ｆｎ・・・通知機能領域
Ｆｄ・・・計測制御領域
Ｔ・・・タンク（設備）
Ａ１，Ａ２・・・機器（設備）
Ｘ・・・配管（装飾）
Ｌ１，Ｌ２，Ｌ３，Ｌ４，Ｌ５，Ｌ６，Ｌ７，Ｌ８，Ｌ９，Ｌ１０，Ｌ１１，Ｌ１２・・・補助線（装飾）
Ｎ１・・・注意箇所（装飾）
Ｍ１，Ｍ２，Ｍ３・・・メモ（装飾）
Ｂ１・・・「装飾」ボタン
Ｂ２・・・「リスト読み込み」ボタン
Ｂ３・・・「移動」ボタン
Ｂ４・・・「補助線」ボタン
Ｂ５・・・「注意エリア」ボタン
Ｂ６・・・「メモ」ボタン
Ｂ７・・・「順路」ボタン
Ｂ８・・・「状態」ボタン
Ｂ９・・・「高低差」ボタン
Ｓ１・・・検索キーワード入力領域
Ｂ１０・・・「検索」ボタン
Ｂ１１・・・「ＯＫ」ボタン
Ｂ１２・・・「ＮＧ」ボタン
Ｂ１３・・・「要注意」ボタン
Ｂ６・・・「メモ」ボタン
Ｂ１４・・・「データ取得」ボタン
【図１】
2016103164.tif 000003
【図２】
2016103164.tif 000004
【図３】
2016103164.tif 000005
【図４】
2016103164.tif 000006
【図５】
2016103164.tif 000007
【図６】
2016103164.tif 000008
【図７】
2016103164.tif 000009
【図８】
2016103164.tif 000010
【図９】
2016103164.tif 000011
【図１０】
2016103164.tif 000012